(57)【要約】【課題】表示内容に発生する輝度のムラを小さくすることができる電気泳動表示装置などを提供する。【解決手段】互いに対向させられた第１の基板および第２の基板と、前記第１の基板に設けられた第１の電極と、前記第２の基板に設けられた第２の電極と、前記第１の電極と前記第２の電極との間およびその周囲に設けられた粒子および分散媒を含む分散液と、を備え、前記第１の電極と前記第２の電極との間に前記分散液が設けられた表示領域に対して、前記周囲に前記分散液が設けられた非表示領域が非対称である、電気泳動表示装置。【選択図】図１
2017161829.tif 000002
【特許請求の範囲】
【請求項１】
互いに対向させられた第１の基板および第２の基板と、
前記第１の基板に設けられた第１の電極と、
前記第２の基板に設けられた第２の電極と、
前記第１の電極と前記第２の電極との間およびその周囲に設けられた粒子および分散媒を含む分散液と、を備え、
前記第１の電極と前記第２の電極との間に前記分散液が設けられた表示領域に対して、前記周囲に前記分散液が設けられた非表示領域が非対称である、
電気泳動表示装置。
【請求項２】
前記非表示領域は、前記分散液の体積に関して、非対称である、
請求項１に記載の電気泳動表示装置。
【請求項３】
前記非表示領域は、前記第１の基板および前記第２の基板に対して平行な面における距離に関して、非対称である、
請求項１または請求項２のいずれか１項に記載の電気泳動表示装置。
【請求項４】
前記非表示領域は、前記第１の基板および前記第２の基板に対して垂直な方向における深さに関して、非対称である、
請求項１から請求項３のいずれか１項に記載の電気泳動表示装置。
【請求項５】
前記非表示領域は、光源が設けられる箇所において、他の箇所と比べて、非対称であり、前記分散液の体積が小さい、
請求項１から請求項４のいずれか１項に記載の電気泳動表示装置。
【請求項６】
請求項１から請求項５のいずれか１項に記載の電気泳動表示装置を備える電子機器。
【発明の詳細な説明】
【技術分野】
【０００１】
本発明は、電気泳動表示装置および電子機器に関する。
【背景技術】
【０００２】
電気泳動表示装置（ＥＰＤ：Ｅｌｅｃｔｒｏｐｈｏｒｅｔｉｃ  Ｄｉｓｐｌａｙ）は、例えば、電子ペーパーなどで用いられている。
電気泳動表示装置は、帯電性および分散性を有する粒子（「電気泳動粒子」という。）が注入された溶媒（「分散媒」という。）に電圧を印加して、当該粒子を所定の電極の側に動かすことで、色および反射率が異なる粒子を分離させて、表示の内容を変えることができる。一例として、白に対応する粒子（「白色粒子」という。）および黒に対応する粒子（「黒色粒子」という。）を用いた白黒表示体では、一般に、白色粒子の光散乱を利用して白を表示させ、黒色粒子の光吸収性を利用して黒を表示させている。
電気泳動表示装置は、例えば、外光の反射により表示のコントラストが得られる反射型の表示装置として構成される。この場合、電気泳動表示装置では、夜間等の暗所で使用する場合を想定して、積層配置された導光板、および表示面を照らすフロントライト等の光源を有している。このことは、市販されている電気泳動表示装置でも同様である。
【０００３】
ＥＰＤの表示パネル（ＥＰＤパネル）では、構造上、電気泳動粒子および分散媒を含む分散液の領域と比べて、画素基板（「駆動基板」などとも呼ばれてもよい。）に画素領域（「駆動領域」などとも呼ばれてもよい。）が存在する領域（表示領域）の方が狭い。当該画素領域には、互いに対向する電極が設けられる。そして、当該表示領域の外周に、互いに対向する電極が設けられていない領域が存在する。以下で、当該領域を、液溜り領域（分散液の液溜り領域）と呼ぶ。当該液溜り領域では、互いに対向する電極は設けられず電圧が印加されないため、例えば、白黒表示の分散液が用いられる場合には、白黒のムラとなった表示状態となる。また、白黒以外の色の表示についても同様である。
【０００４】
一般に、このような液溜り領域は、表示領域の全周について、同じ面積で配置される（例えば、特許文献１参照。）。このため、フロントライトから表示領域に照射された光が、白黒のムラとなる液溜り領域で反射して、当該表示領域に輝度のムラが発生する場合があった。この場合、表示領域の面内における輝度の均一性が著しく低下することがあるといった問題があった。この問題に関しては、特に、フロントライトの光源が配置される側における液溜り領域による反射の影響が大きい。
【先行技術文献】
【特許文献】
【０００５】
【特許文献１】特開２０１５−１８０６０号公報
【発明の概要】
【発明が解決しようとする課題】
【０００６】
上述のように、電気泳動表示装置において、フロントライトから照射される光が液溜り領域で反射し、表示内容に輝度のムラが発生する場合があるといった問題があった。
【０００７】
本発明は、前記の点に鑑み為されたものであり、表示内容に発生する輝度のムラを小さくすることができる電気泳動表示装置および電子機器を提供することを目的とする。
【課題を解決するための手段】
【０００８】
上記課題の少なくとも一つを解決するために本発明の一態様は、互いに対向させられた第１の基板および第２の基板と、前記第１の基板に設けられた第１の電極と、前記第２の基板に設けられた第２の電極と、前記第１の電極と前記第２の電極との間およびその周囲に設けられた粒子および分散媒を含む分散液と、を備え、前記第１の電極と前記第２の電極との間に前記分散液が設けられた表示領域に対して、前記周囲に前記分散液が設けられた非表示領域が非対称である、電気泳動表示装置である。
この構成により、電気泳動表示装置では、表示領域に対して、非表示領域が非対称である。これにより、電気泳動表示装置では、表示内容に発生する輝度のムラを小さくすることができる。
【０００９】
また、本発明の一態様は、電気泳動表示装置において、前記非表示領域は、前記分散液の体積に関して、非対称である、構成が用いられてもよい。
この構成により、電気泳動表示装置では、非表示領域は、分散液の体積に関して、非対称である。これにより、電気泳動表示装置では、分散液の体積を非対称にすることで、表示内容に発生する輝度のムラを小さくすることができる。
【００１０】
また、本発明の一態様は、電気泳動表示装置において、前記非表示領域は、前記第１の基板および前記第２の基板に対して平行な面における距離に関して、非対称である、構成が用いられてもよい。
この構成により、電気泳動表示装置では、非表示領域は、第１の基板および第２の基板に対して平行な面における距離に関して、非対称である。これにより、電気泳動表示装置では、当該距離を非対称にすることで、表示内容に発生する輝度のムラを小さくすることができる。
【００１１】
また、本発明の一態様は、電気泳動表示装置において、前記非表示領域は、前記第１の基板および前記第２の基板に対して垂直な方向における深さに関して、非対称である、構成が用いられてもよい。
この構成により、電気泳動表示装置では、非表示領域は、第１の基板および第２の基板に対して垂直な方向における深さに関して、非対称である。これにより、電気泳動表示装置では、当該深さを非対称にすることで、表示内容に発生する輝度のムラを小さくすることができる。
【００１２】
また、本発明の一態様は、電気泳動表示装置において、前記非表示領域は、光源が設けられる箇所において、他の箇所と比べて、非対称であり、前記分散液の体積が小さい、構成が用いられてもよい。
この構成により、電気泳動表示装置では、非表示領域は、光源が設けられる箇所において、他の箇所と比べて、非対称であり、分散液の体積が小さい。これにより、電気泳動表示装置では、光源が設けられる箇所において非対称にすることで、表示内容に発生する輝度のムラを小さくすることができる。
【００１３】
上記課題の少なくとも一つを解決するために本発明の一態様は、上記のような電気泳動表示装置を備える電子機器である。
この構成により、電子機器では、電気泳動表示装置において、非表示領域は、分散液の体積に関して、非対称である。これにより、電子機器では、電気泳動表示装置において、分散液の体積を非対称にすることで、表示内容に発生する輝度のムラを小さくすることができる。
【００１４】
以上のように、本発明に係る電気泳動表示装置および電子機器によれば、電気泳動表示装置において、非表示領域は、分散液の体積に関して、非対称である。これにより、電気泳動表示装置および電子機器では、電気泳動表示装置において、分散液の体積を非対称にすることで、表示内容に発生する輝度のムラを小さくすることができる。
【図面の簡単な説明】
【００１５】
【図１】本発明の一実施形態（第１実施形態）に係る電気泳動表示装置の概略的な構成例を示す図である。
【図２】本発明の一実施形態に係る表示部の概略的な構成例を示す図である。
【図３】本発明の一実施形態に係る表示部の概略的な構成例を示す図である。
【図４】本発明の一実施形態に係る非対称な距離の液溜り領域を有する表示部の概略的な構成例を示す図である。
【図５】本発明の一実施形態に係る非対称な距離の液溜り領域を有する表示部の他の概略的な構成例を示す図である。
【図６】本発明の一実施形態に係る非対称な距離の液溜り領域を有する表示部の他の概略的な構成例を示す図である。
【図７】本発明の一実施形態に係る非対称な距離の液溜り領域を有する表示部の他の概略的な構成例を示す図である。
【図８】本発明の一実施形態に係る非対称な深さの液溜り領域を有する表示部の概略的な構成例を示す図である。
【図９】本発明の一実施形態に係る非対称な深さの液溜り領域を有する表示部の概略的な構成例を示す図である。
【図１０】本発明の一実施形態に係る非対称な深さの液溜り領域を有する表示部の他の概略的な構成例を示す図である。
【図１１】本発明の一実施形態に係る非対称な深さの液溜り領域を有する表示部の他の概略的な構成例を示す図である。
【図１２】本発明の一実施形態（第２実施形態の第１の例）に係る電子機器の概略的な構成例を示す図である。
【図１３】本発明の一実施形態（第２実施形態の第２の例）に係る電子機器の概略的な構成例を示す図である。
【図１４】本発明の一実施形態（第２実施形態の第３の例）に係る電子機器の概略的な構成例を示す図である。
【発明を実施するための形態】
【００１６】
本発明の実施形態について図面を参照して詳細に説明する。
【００１７】
（第１実施形態）
［電気泳動表示装置の概要］
図１は、本発明の一実施形態（第１実施形態）に係る電気泳動表示装置１の概略的な構成例を示す図である。図１は、電気泳動表示装置１の平面図である。
電気泳動表示装置１は、表示部１１と、制御部１２を備える。
表示部１１は、縦および横（マトリクス状）に配置された複数の画素領域２１を備える。
制御部１２は、それぞれの画素領域２１ごとに、分散液に印加する電圧を制御することにより、表示する色を制御する。本実施形態では、それぞれの画素領域２１ごとに、分散媒とともに白色粒子および黒色粒子を含む分散液を有しており、白色粒子を用いた白の表示または黒色粒子を用いた黒の表示が可能である。
【００１８】
［表示部の概要］
図２は、本発明の一実施形態に係る表示部１１の概略的な構成例を示す図である。図２は、表示部１１の平面図である。図２には、直交座標系であるＸＹＺ座標系を示してある。表示部１１の平面は、ＸＹ平面で表されている。表示部１１の平面に対して垂直な高さは、Ｚ方向で表されている。
表示部１１は、表示領域１０１と、液溜り領域１０２と、枠領域１０３と、光源１０４を有する。なお、図２の例では、説明の便宜上、表示領域１０１と液溜り領域１０２と光源１０４以外の領域を枠領域１０３と呼んでいる。また、液溜り領域１０２は、表示領域１０１の外側に位置しており、本来の表示が行われない領域（本実施形態で、「非表示領域」ともいう。）である。また、図２の例では、表示領域１０１に所定の文字「Ｗ」が表示されている。
図２には、第１の線（本実施形態で、「垂直線」と呼ぶ。）３００１と、第２の線（本実施形態で、「水平線」と呼ぶ。）３００２を示してある。垂直線３００１はＹ軸方向に平行な線であり、水平線３００２はＸ軸方向に平行な線である。垂直線３００１と水平線３００２の交点は、表示領域１０１の中心点に配置されている。
【００１９】
表示領域１０１は、複数の画素領域２１の全体に対応する領域であり、画像が表示される領域である。
本実施形態では、表示領域１０１は、長方形の形状を有する。当該長方形は、Ｘ軸に平行な２個の辺と、Ｙ軸に平行な２個の辺を有する。Ｘ軸に平行な２個の辺の方が、Ｙ軸に平行な２個の辺よりも長い。なお、当該形状としては、例えば、長方形に代えて、正方形が用いられてもよい。
【００２０】
液溜り領域１０２は、表示領域１０１の周辺に配置され、分散液は配置されるが、互いに対向する電極は設けられていない領域である。
本実施形態では、液溜り領域１０２は、当該液溜り領域１０２の内側に存在する表示領域１０１の部分を除いて中空として、当該液溜り領域１０２の周囲の形状として長方形の形状を有する。当該長方形は、Ｘ軸に平行な２個の辺と、Ｙ軸に平行な２個の辺を有する。Ｘ軸に平行な２個の辺の方が、Ｙ軸に平行な２個の辺よりも長い。なお、当該形状としては、例えば、長方形に代えて、正方形が用いられてもよい。
本実施形態では、表示領域１０１と液溜り領域１０２とは、相似の形状を有する。
【００２１】
光源１０４は、フロントライトとして備えられている。光源１０４は、例えば、ＬＥＤ（Ｌｉｇｈｔ  Ｅｍｉｔｔｉｎｇ  Ｄｉｏｄｅ）であってもよい。
本実施形態では、光源１０４は、Ｘ軸方向について、表示領域１０１および液溜り領域１０２のそれぞれの幅に対して、中央に備えられている。光源１０４は、Ｙ軸方向について、Ｙ軸方向におけるＹの値が小さい側（本実施形態で、下側とする。）に備えられている。
なお、図２では、導光体については、図示を省略してある。
【００２２】
図２には、Ｙ軸方向におけるＹの値が大きい側（本実施形態で、上側とする。）について、表示領域１０１の周辺に液溜り領域１０２が存在する距離をＬ１として示してある。図２には、Ｙ軸方向におけるＹの値が小さい側（下側）について、表示領域１０１の周辺に液溜り領域１０２が存在する距離をＬ２として示してある。
また、図２には、Ｘ軸方向におけるＸの値が小さい側（本実施形態で、左側とする。）について、表示領域１０１の周辺に液溜り領域１０２が存在する距離をＬ３として示してある。図２には、Ｘ軸方向におけるＸの値が大きい側（本実施形態で、右側とする。）について、表示領域１０１の周辺に液溜り領域１０２が存在する距離をＬ４として示してある。
【００２３】
ここで、背景技術の例では、液溜り領域１０２は、表示領域１０１の全周について、同じ面積で配置され、かつ、同じ深さ（Ｚ軸方向の長さ）で配置される。この場合、Ｌ１＝Ｌ２＝Ｌ３＝Ｌ４であり、液溜り領域１０２の深さは一定である。このように、背景技術の例では、表示領域１０１の中心に対して対称（均一）に液溜り領域１０２が配置される。この理由は、表示部１１の製造プロセスの過程において、分散液を塗布して上側の基板（例えば、対向基板）を貼り合わせる際に、全周において表示領域１０１から余った分散液が液溜り領域１０２へ移動するためである。この点だけを考慮すると、表示領域１０１の全周において、液溜り領域１０２が同じ面積で同じ深さであることが望ましい。しかしながら、上述のように、背景技術の例では、輝度のムラの問題が発生し得る。
これに対して、本実施形態に係る表示部１１では、例えば、Ｌ１とＬ２とを異ならせる構成（他の例として、光源１０４の配置位置が左側または右側である場合には、Ｌ３とＬ４とを異ならせる構成）と、液溜り領域１０２の深さを場所によって異ならせる構成のうちの１以上を用いる。
【００２４】
図３は、本発明の一実施形態に係る表示部１１の概略的な構成例を示す図である。図３は、表示部１１の断面側面図（図２におけるＡ−Ａ’の断面の側面図）であり、外周の側面に位置する一部の表示領域１０１およびその周辺に係る部分を示してある。図３には、図２と同様に、直交座標系であるＸＹＺ座標系を示してある。
なお、本実施形態では、複数の画素領域２１のうち、外周に面した２以上の画素領域２１の構成は同じであり、また、外周に面しない２以上の画素領域２１の構成は同じである。また、外周に面した画素領域２１の構成と、外周に面しない画素領域２１の構成とは、外周に面するか否かに応じた相違部分以外は同じ構成である。
【００２５】
表示部１１は、第１の基板（以下、「画素基板」という。）１２１と、第２の基板（以下、「対向基板」という。）１２２と、透明接着層１２３と、導光体１２４と、光源１０４と、封止部１３１と、隔壁１４１〜１４３と、分散液１５１を備える。画素基板１２１は、第１の電極（以下、「画素電極」という。）１６１を備える。対向基板１２２は、第２の電極（以下、「対向電極」という。）１６２を備える。なお、「対向電極」は「共通電極」などと呼ばれてもよい。
【００２６】
画素基板１２１と対向基板１２２とは、互いに対向させられて配置されている。
画素基板１２１と対向基板１２２との間において、画素基板１２１に、隔壁１４１〜１４３が設けられており、最外周の隔壁１４１よりも外周に封止部１３１が設けられている。最外周の隔壁１４１と隣接する隔壁１４２との間に、液溜り領域１０２が形成されている。最外周以外の複数の隔壁１４２、１４３（および、図示しない、さらに内側の隔壁）によって、仕切られた複数の画素領域２１の空間（セル）が形成されている。
それぞれの画素領域２１および液溜り領域１０２には、分散液１５１が設けられている。分散液１５１は、分散媒と、第１の種類の複数の電気泳動粒子（本実施形態では、白色粒子）と、第２の種類の複数の電気泳動粒子（本実施形態では、黒色粒子）を含む。
【００２７】
画素基板１２１と対向基板１２２との間において、画素基板１２１に、画素領域２１ごとに、画素電極１６１が設けられている。
画素基板１２１と対向基板１２２との間において、対向基板１２２に、対向電極１６２が設けられている。本実施形態では、対向電極１６２は複数の画素領域２１について共通な電極となっているが、他の構成例として、対向電極１６２が画素電極１６１ごとに分割されて設けられてもよい。なお、対向基板１２２としては例えばガラス基板が用いられてもよく、対向電極１６２としては例えばＩＴＯ（インジウム・スズ酸化物）などの電極が用いられてもよい。
【００２８】
画素基板１２１と対向基板１２２との間において、対向基板１２２に、対向電極１６２よりも画素基板１２１の側に、接合層（図示を省略）が設けられている。当該接合層と、隔壁１４１〜１４３の先端部（対向基板１２２の側の先端部）とが接している。当該接合層は、例えば、１個の層のみを有してもよく、または、２個以上の層を有してもよい。
封止部１３１は、表示部１１の外周の側面に設けられており、分散液１５１を封止している。なお、封止部１３１は、例えば、隔壁１４１〜１４３と一体として構成されてもよい。
【００２９】
対向基板１２２には、画素基板１２１の側とは反対の側に、透明接着層１２３が設けられている。当該透明接着層１２３には、対向基板１２２の側とは反対の側に、導光体１２４が設けられている。導光体１２４の外周の一部に、光源１０４が設けられている。なお、導光体１２４は、例えば、板状の物体（導光板）であってもよい。
ここで、本実施形態では、光源１０４から照射される光が、導光体１２４により導光されて伝搬し、表示領域１０１（複数の画素領域２１）に照射される。図２の例では、線Ｑ１よりも内側が表示領域１０１となっている。そして、当該光が反射しながら導光体１２４、透明接着層１２３、対向基板１２２などを通過する。このとき、当該光の光路Ｐ１において、当該光が白黒のムラとなる液溜り領域１０２で反射して、表示領域１０１における輝度の分布に影響を与えることにより、表示領域１０１の表示内容に輝度のムラが発生する場合があった。本実施形態では、このような問題を解消する。
【００３０】
電気泳動表示装置１では、制御部１２が、電圧を駆動して、各画素電極１６１に印加する電圧と、対向電極１６２に印加する電圧を制御することで、各画素領域２１に表示される色（本実施形態では、白色または黒色）を制御する。これにより、表示面における表示の内容が制御される。本実施形態では、対向基板１２２の側の面が、表示の内容を出力する表示面となる。
【００３１】
例えば、画素電極１６１と対向電極１６２との間に、相対的に対向電極１６２の電圧が高くなるように電圧を印加する。すると、正に帯電された黒色粒子はクーロン力によって画素電極１６１の側に引き寄せられる。一方、負に帯電された白色粒子はクーロン力によって対向電極１６２の側に引き寄せられる。この結果、表示面の側（対向電極１６２の側）には白色粒子が集まることになり、表示面には当該白色粒子に対応する色（白色）が表示される。
【００３２】
逆に、画素電極１６１と対向電極１６２との間に相対的に画素電極１６１の電位が高くなるように電圧を印加する。すると、負に帯電された白色粒子はクーロン力によって画素電極１６１の側に引き寄せられる。一方、正に帯電された黒色粒子はクーロン力によって対向電極１６２の側に引き寄せられる。この結果、表示面の側（対向電極１６２の側）には黒色粒子が集まることになり、表示面には当該黒色粒子に対応する色（黒色）が表示される。
【００３３】
ここで、本実施形態では、画素基板１２１の側に隔壁１４１〜１４３が設けられ、対向基板１２２の側に接合層が設けられたが、他の構成例として、画素基板１２１の側に接合層が設けられ、対向基板１２２の側に隔壁１４１〜１４３が設けられる構成が用いられてもよい。
また、本実施形態では、透明接着層１２３が用いられたが、他の構成例として、透明接着層１２３の代わりに、フレームを備えて、当該フレームによって導光体１２４を支持し、対向基板１２２と導光体１２４との間に空気層が設けられる構成が用いられてもよい。
【００３４】
また、本実施形態では、白色粒子と黒色粒子が用いられるが、他の構成例として、他の色に対応する粒子が用いられてもよい。
また、本実施形態では、分散液１５１に含まれる粒子として、２色（白色、黒色）に対応する２種類の粒子が用いられるが、他の構成例として、１色に対応する１種類の粒子が用いられてもよく、または、３色以上に対応する３種類以上の粒子が用いられてもよい。
例えば、赤色、緑色、青色などの顔料を用いることによって、赤色、緑色、青色などを表示する表示部１１を備える電気泳動表示装置１とすることも可能である。
【００３５】
また、本実施形態では、隔壁１４１〜１４３により形成される画素領域２１ごとの空間（セルとなる閉空間）が並べられた形状として、スクエアの形状（例えば、直方体が並べられた形状）が用いられるが、他の構成例として、ハニカムの形状（正六角柱が並べられた形状）など、他の形状が用いられてもよい。
また、本実施形態では、隔壁１４１〜１４３により画素領域２１を形成する隔壁型が用いられるが、他の構成例として、分散液を収容するマイクロカプセルにより画素領域２１を形成するカプセル型が用いられてもよい。
【００３６】
［非対称な距離の液溜り領域を有する表示部の構成例］
図４は、本発明の一実施形態に係る非対称な距離の液溜り領域１０２Ａを有する表示部１１Ａの概略的な構成例を示す図である。図４は、表示部１１Ａの平面図である。図４には、直交座標系であるＸＹＺ座標系を示してある。表示部１１Ａの平面は、ＸＹ平面で表されている。表示部１１Ａの平面に対して垂直な高さは、Ｚ方向で表されている。
図４には、表示領域１０１Ａに対して非対称に液溜り領域１０２Ａが配置された表示部１１Ａの一例を示してある。
【００３７】
ここで、表示領域１０１Ａに対して非対称に液溜り領域１０２Ａが配置されている点を除いて、図４に示される表示領域１０１Ａ、液溜り領域１０２Ａ、枠領域１０３Ａ、光源１０４Ａ、垂直線３００１Ａ、水平線３００２Ａは、それぞれ、図２に示される表示領域１０１、液溜り領域１０２、枠領域１０３、光源１０４、垂直線３００１、水平線３００２と同様である。
本実施形態では、図２の例と同様に、光源１０４Ａは、Ｘ軸方向について、表示領域１０１Ａおよび液溜り領域１０２Ａのそれぞれの幅に対して、中央に備えられている。
本実施形態では、液溜り領域１０２Ａの深さ（Ｚ軸方向の長さ）は、すべての場所で同じ（均一）である。
また、図２の例では、表示領域１０１に所定の文字「Ｗ」が表示されている。
【００３８】
図４の例では、Ｙ軸方向の上側（Ｙの値が大きい側）について、表示領域１０１Ａの周辺に液溜り領域１０２Ａが存在する距離をＬ１１として示してある。図４の例では、Ｙ軸方向の下側（Ｙの値が小さい側）について、表示領域１０１Ａの周辺に液溜り領域１０２Ａが存在する距離をＬ１２として示してある。
また、図４の例では、Ｘ軸方向の左側（Ｘの値が小さい側）について、表示領域１０１Ａの周辺に液溜り領域１０２Ａが存在する距離をＬ１３として示してある。図４の例では、Ｘ軸方向の右側（Ｘの値が大きい側）について、表示領域１０１Ａの周辺に液溜り領域１０２Ａが存在する距離をＬ１４として示してある。
【００３９】
本実施形態では、Ｙ軸方向については、一方の側に光源１０４Ａが配置されている。そして、光源１０４Ａが配置される箇所の側における液溜り領域１０２Ａの距離Ｌ１２の方が、光源が配置されない反対側における液溜り領域１０２Ａの距離Ｌ１１よりも短い（狭い）。
また、本実施形態では、Ｘ軸方向については、両方の側に光源が配置されていない。そして、両方の側における液溜り領域１０２Ａの距離Ｌ１３、Ｌ１４が同じ長さである。
また、本実施形態では、光源１０４Ａが配置される箇所の側における液溜り領域１０２Ａの距離Ｌ１２は、光源が配置されないいずれの側における液溜り領域１０２Ａの距離Ｌ１１、Ｌ１３、Ｌ１４よりも短い（狭い）。
【００４０】
このように、本実施形態では、フロントライトとして用いられる光源１０４Ａの側における液溜り領域１０２Ａの距離を短くした。これにより、光源１０４Ａの側における液溜り領域１０２Ａによる反射の影響を小さく（好ましくは、最小限に）することができる。したがって、表示領域１０１Ａにおける表示内容に発生する輝度のムラを小さくすることができ、輝度の均一性を向上させることができる。
【００４１】
ここで、光源１０４Ａの側における液溜り領域１０２Ａの距離を短くする構成としては、例えば、画素基板（図３の例では、画素基板１２１）および対向基板（図３の例では、対向基板１２２）に平行な面において、光源１０４Ａから発せられる光が通過する光路を考えたときに、当該光路の下方（当該平行な面に対して垂直な方向であって、対向基板から画素基板へ向かう方向）に液溜り領域１０２Ａが存在する距離（当該平行な面における距離）を短くする構成が用いられてもよい。すなわち、光源１０４Ａから発せられる光の光路（当該平行な面における光路）の下方に液溜り領域１０２Ａが存在する箇所で反射の影響を受けると考えられるため、このような箇所を低減する構成が考えられる。
このような距離に関して、例えば、表示領域１０１Ａの周囲に備えらえる液溜り領域１０２Ａの形状（図４の例では、ＸＹ平面に平行な面の形状）が非対称になる。
なお、光源１０４Ａの側における液溜り領域１０２Ａの距離を短くする構成としては、例えば、当該距離がゼロである箇所がある構成が用いられてもよい。
【００４２】
［非対称な距離の液溜り領域を有する表示部の他の構成例］
図５は、本発明の一実施形態に係る非対称な距離の液溜り領域２１２を有する表示部２０１の他の概略的な構成例を示す図である。図５は、表示部２０１の平面図である。図５には、直交座標系であるＸＹＺ座標系を示してある。表示部２０１の平面は、ＸＹ平面で表されている。表示部２０１の平面に対して垂直な高さは、Ｚ方向で表されている。
図５には、表示領域２１１に対して非対称に液溜り領域２１２が配置された表示部２０１の一例を示してある。
【００４３】
ここで、表示領域２１１の形状および液溜り領域２１２の形状が図２の例とは異なる点と、２個の光源２１４、２１５を備える点と、表示領域２１１に対して非対称に液溜り領域２１２が配置されている点を除いて、図５に示される表示領域２１１、液溜り領域２１２、枠領域２１３、光源２１４、２１５は、それぞれ、図２に示される表示領域１０１、液溜り領域１０２、枠領域１０３、光源１０４と同様である。
本実施形態では、光源２１４および光源２１５は、それぞれ、Ｘ軸方向について、表示領域２１１および液溜り領域２１２のそれぞれの幅に対して、中央に備えられている。光源２１４はＹ軸方向について下側（Ｙの値が小さい側）に備えられており、光源２１５はＹ軸方向について上側（Ｙの値が大きい側）に備えられている。
本実施形態では、液溜り領域２１２の深さ（Ｚ軸方向の長さ）は、すべての場所で同じ（均一）である。
本実施形態では、表示領域２１１は長方形の形状を有し、Ｘ軸に平行な２個の辺よりも、Ｙ軸に平行な２個の辺の方が長い。また、液溜り領域２１２は、当該液溜り領域２１２の内側に存在する表示領域２１１の部分を除いて中空として、当該液溜り領域２１２の周囲の形状として長方形（正方形でもよい。）の形状を有する。
【００４４】
図５の例では、Ｙ軸方向の上側（Ｙの値が大きい側）について、表示領域２１１の周辺に液溜り領域２１２が存在する距離をＬ２１として示してある。図５の例では、Ｙ軸方向の下側（Ｙの値が小さい側）について、表示領域２１１の周辺に液溜り領域２１２が存在する距離をＬ２２として示してある。
また、図５の例では、Ｘ軸方向の左側（Ｘの値が小さい側）について、表示領域２１１の周辺に液溜り領域２１２が存在する距離をＬ２３として示してある。図５の例では、Ｘ軸方向の右側（Ｘの値が大きい側）について、表示領域２１１の周辺に液溜り領域２１２が存在する距離をＬ２４として示してある。
【００４５】
本実施形態では、Ｙ軸方向については、両方の側のそれぞれに１個の光源（光源２１４と、光源２１５）が配置されている。そして、これら両方の側における液溜り領域２１２の距離Ｌ２１、Ｌ２２が同じ長さである。
また、本実施形態では、Ｘ軸方向については、両方の側に光源が配置されていない。そして、両方の側における液溜り領域２１２の距離Ｌ２３、Ｌ２４が同じ長さである。
また、本実施形態では、光源２１４、２１５が配置される箇所の側における液溜り領域２１２の距離Ｌ２１、Ｌ２２は、光源が配置されない側における液溜り領域２１２の距離Ｌ２３、Ｌ２４よりも短い（狭い）。
【００４６】
このように、本実施形態では、フロントライトとして用いられる光源２１４、２１５の側における液溜り領域２１２の距離を短くした。これにより、光源２１４、２１５の側における液溜り領域２１２による反射の影響を小さく（好ましくは、最小限に）することができる。したがって、表示領域２１１における表示内容に発生する輝度のムラを小さくすることができ、輝度の均一性を向上させることができる。
【００４７】
図６は、本発明の一実施形態に係る非対称な距離の液溜り領域３１２を有する表示部３０１の他の概略的な構成例を示す図である。図６は、表示部３０１の平面図である。図６には、直交座標系であるＸＹＺ座標系を示してある。表示部３０１の平面は、ＸＹ平面で表されている。表示部３０１の平面に対して垂直な高さは、Ｚ方向で表されている。
図６には、表示領域３１１に対して非対称に液溜り領域３１２が配置された表示部３０１の一例を示してある。
【００４８】
ここで、表示領域３１１の形状および液溜り領域３１２の形状が図２の例とは異なる点と、２個の光源３１４、３１５を備える点と、表示領域３１１に対して非対称に液溜り領域３１２が配置されている点を除いて、図６に示される表示領域３１１、液溜り領域３１２、枠領域３１３、光源３１４、３１５は、それぞれ、図２に示される表示領域１０１、液溜り領域１０２、枠領域１０３、光源１０４と同様である。
本実施形態では、光源３１４は、Ｘ軸方向について、表示領域３１１および液溜り領域３１２のそれぞれの幅に対して、中央に備えられている。また、本実施形態では、光源３１５は、Ｙ軸方向について、表示領域３１１および液溜り領域３１２のそれぞれの幅に対して、中央に備えられている。光源３１４はＹ軸方向について下側（Ｙの値が小さい側）に備えられており、光源３１５はＸ軸方向について左側（Ｘの値が小さい側）に備えられている。
本実施形態では、液溜り領域３１２の深さ（Ｚ軸方向の長さ）は、すべての場所で同じ（均一）である。
本実施形態では、表示領域３１１は長方形の形状を有し、Ｘ軸に平行な２個の辺よりも、Ｙ軸に平行な２個の辺の方が長い。また、液溜り領域３１２は、当該液溜り領域３１２の内側に存在する表示領域３１１の部分を除いて中空として、当該液溜り領域３１２の周囲の形状として長方形（正方形でもよい。）の形状を有する。
【００４９】
図６の例では、Ｙ軸方向の上側（Ｙの値が大きい側）について、表示領域３１１の周辺に液溜り領域３１２が存在する距離をＬ３１として示してある。図６の例では、Ｙ軸方向の下側（Ｙの値が小さい側）について、表示領域３１１の周辺に液溜り領域３１２が存在する距離をＬ３２として示してある。
また、図６の例では、Ｘ軸方向の左側（Ｘの値が小さい側）について、表示領域３１１の周辺に液溜り領域３１２が存在する距離をＬ３３として示してある。図６の例では、Ｘ軸方向の右側（Ｘの値が大きい側）について、表示領域３１１の周辺に液溜り領域３１２が存在する距離をＬ３４として示してある。
【００５０】
本実施形態では、Ｙ軸方向については、一方の側に光源３１４が配置されている。そして、光源３１４が配置される箇所の側における液溜り領域３１２の距離Ｌ３２の方が、光源が配置されない反対側における液溜り領域３１２の距離Ｌ３１よりも短い（狭い）。
また、本実施形態では、Ｘ軸方向については、一方の側に光源３１５が配置されている。そして、光源３１５が配置される箇所の側における液溜り領域３１２の距離Ｌ３３の方が、光源が配置されない反対側における液溜り領域３１２の距離Ｌ３４よりも短い（狭い）。
また、本実施形態では、光源３１４、３１５が配置される箇所の側における液溜り領域３１２の距離Ｌ３２、Ｌ３３は、光源が配置されない側における液溜り領域３１２の距離Ｌ３１、Ｌ３４よりも短い（狭い）。
また、本実施形態では、光源３１４、３１５が配置される箇所の側における液溜り領域３１２の距離Ｌ３２、Ｌ３３は同じ長さである。また、本実施形態では、光源が配置されない側における液溜り領域３１２の距離Ｌ３１、Ｌ３４は同じ長さである。
【００５１】
このように、本実施形態では、フロントライトとして用いられる光源３１４、３１５の側における液溜り領域３１２の距離を短くした。これにより、光源３１４、３１５の側における液溜り領域３１２による反射の影響を小さく（好ましくは、最小限に）することができる。したがって、表示領域３１１における表示内容に発生する輝度のムラを小さくすることができ、輝度の均一性を向上させることができる。
【００５２】
図７は、本発明の一実施形態に係る非対称な距離の液溜り領域４１２を有する表示部４０１の他の概略的な構成例を示す図である。図７は、表示部４０１の平面図である。図７には、直交座標系であるＸＹＺ座標系を示してある。表示部４０１の平面は、ＸＹ平面で表されている。表示部４０１の平面に対して垂直な高さは、Ｚ方向で表されている。
図７には、表示領域４１１に対して非対称に液溜り領域４１２が配置された表示部４０１の一例を示してある。
【００５３】
ここで、表示領域４１１の形状および液溜り領域４１２の形状が図２の例とは異なる点と、表示領域４１１に対して非対称に液溜り領域４１２が配置されている点を除いて、図７に示される表示領域４１１、液溜り領域４１２、枠領域４１３、光源４１４は、それぞれ、図２に示される表示領域１０１、液溜り領域１０２、枠領域１０３、光源１０４と同様である。
本実施形態では、光源４１４は、Ｘ軸方向について、表示領域４１１および液溜り領域４１２のそれぞれの幅に対して、中央より少し右側（Ｘの値が大きい側）に備えられている。
本実施形態では、液溜り領域４１２の深さ（Ｚ軸方向の長さ）は、すべての場所で同じ（均一）である。
本実施形態では、表示領域４１１は円形の形状を有する。また、液溜り領域４１２は、当該液溜り領域４１２の内側に存在する表示領域４１１の部分を除いて中空として、当該液溜り領域４１２の周囲の形状として円形の形状を有する。なお、表示領域４１１と液溜り領域４１２のうちの一方または両方について、円形の代わりに、楕円形が用いられてもよい。
【００５４】
図７の例では、Ｙ軸方向の上側（Ｙの値が大きい側）について、表示領域４１１の周辺に液溜り領域４１２が存在する距離（本例では、液溜り領域４１２の円の上側の距離）をＬ４１として示してある。図７の例では、Ｙ軸方向の下側（Ｙの値が小さい側）について、表示領域４１１の周辺に液溜り領域４１２が存在する距離（本例では、液溜り領域４１２の円の下側の距離）をＬ４２として示してある。
また、図７の例では、Ｘ軸方向の左側（Ｘの値が小さい側）について、表示領域４１１の周辺に液溜り領域４１２が存在する距離（本例では、液溜り領域４１２の円の左側の距離）をＬ４３として示してある。図７の例では、Ｘ軸方向の右側（Ｘの値が大きい側）について、表示領域４１１の周辺に液溜り領域４１２が存在する距離（本例では、液溜り領域４１２の円の右側の距離）をＬ４４として示してある。
【００５５】
本実施形態では、Ｙ軸方向については、一方の側に光源４１４が配置されている。そして、光源４１４が配置される箇所の側における液溜り領域４１２の距離Ｌ４２の方が、光源が配置されない反対側における液溜り領域４１２の距離Ｌ４１よりも短い（狭い）。
また、本実施形態では、Ｘ軸方向については、両方の側に光源が配置されていない。そして、両方の側における液溜り領域４１２の距離Ｌ４３、Ｌ４４が同じ長さである。
また、本実施形態では、光源４１４が配置される箇所の側における液溜り領域４１２の距離Ｌ４２は、光源が配置されないいずれの側における液溜り領域４１２の距離Ｌ４１、Ｌ４３、Ｌ４４よりも短い（狭い）。
ここで、図７の例において、表示領域４１１の円の中心４２１と、液溜り領域４１２の円の中心４２２とは、互いにずれた位置になっている。
【００５６】
このように、本実施形態では、フロントライトとして用いられる光源４１４の側における液溜り領域４１２の距離を短くした。これにより、光源４１４の側における液溜り領域４１２による反射の影響を小さく（好ましくは、最小限に）することができる。したがって、表示領域４１１における表示内容に発生する輝度のムラを小さくすることができ、輝度の均一性を向上させることができる。
【００５７】
［非対称な深さの液溜り領域を有する表示部の構成例］
図８および図９は、本発明の一実施形態に係る非対称な深さの液溜り領域６１２を有する表示部６０１の概略的な構成例を示す図である。図８および図９のそれぞれには、図２と同様に、直交座標系であるＸＹＺ座標系を示してある。
ここで、本実施形態では、表示部６０１の平面図に関しては、図２に示されるものと同様であり、Ｌ１＝Ｌ２＝Ｌ３＝Ｌ４としてある。
【００５８】
図８は、表示部６０１の断面側面図（図２におけるＡ−Ａ’断面に相当する断面の側面図）であり、外周の側面に位置する一部の表示領域およびその周辺に係る部分を示してある。
図９は、表示部６０１の断面側面図（図２におけるＢ−Ｂ’断面に相当する断面の側面図）である。
【００５９】
ここで、深さ調整部６１１によって液溜り領域６１２の深さが場所によって異なっている点を除いて、図８あるいは図９に示される画素基板１２１Ｂ、対向基板１２２Ｂ、透明接着層１２３Ｂ、導光体１２４Ｂ、光源１０４Ｂ、封止部１３１Ｂ、隔壁１４１Ｂ〜１４３Ｂ、分散液１５１Ｂ、画素電極１６１Ｂは、それぞれ、図２に示される画素基板１２１、対向基板１２２、透明接着層１２３、導光体１２４、光源１０４、封止部１３１、隔壁１４１〜１４３、分散液１５１、画素電極１６１と同様である。
【００６０】
また、図９に示される封止部７０１、７０２は、図８に示される封止部１３１Ｂと同様なものであり、例えば、当該封止部１３１Ｂと一体で構成されてもよい。
また、図９に示される隔壁７１１、７１２は、図８に示される隔壁１４１Ｂと同様なものであり、例えば、当該隔壁１４１Ｂと一体で構成されてもよい。
【００６１】
本実施形態では、図８に示されるように、光源１０４Ｂが配置される箇所の側に、液溜り領域６１２のところに、深さ調整部６１１が備えられている。深さ調整部６１１は、画素基板１２１Ｂにおいて対向基板１２２Ｂの側に備えられており、画素基板１２１Ｂから対向基板１２２Ｂの側へ突起する形状を有している。これにより、光源１０４Ｂが配置される箇所の側における液溜り領域６１２の一部（または、他の構成例として、全部でもよい。）の深さは、光源が配置されない側における液溜り領域６１２の深さよりも浅い（距離が短い）。
深さ調整部６１１は、様々な材料を用いて構成されてもよく、例えば、隔壁１４１Ｂ〜１４３Ｂあるいは封止部１３１Ｂと同じ材料を用いて構成されてもよい。
【００６２】
また、本実施形態では、図９に示されるように、光源１０４Ｂが配置される箇所およびその周囲（図９の例では、Ｘ軸方向の周囲）において、光源１０４Ｂが配置される箇所の中央部に対応する場所の方が、他の場所（中央部以外の場所）よりも、深さ調整部６１１の突起の距離が長い（つまり、Ｚ軸方向における高さが高い）。本実施形態では、深さ調整部６１１の突起の距離と液溜り領域６１２の深さ（深さに対応する距離）との和が一定であり、深さ調整部６１１の突起の距離が長い場所の方が、液溜り領域６１２の深さが浅い。
本実施形態では、図９に示されるように、Ｘ軸方向について、光源１０４Ｂは表示領域の中央に備えられている。そして、Ｘ軸方向について、深さ調整部６１１は、光源１０４Ｂの中央部のところを突起の頂点として、半楕円の形状を有する。Ｘ軸方向について、半楕円の形状の両端のところは、それぞれ、深さ調整部６１１が存在せず、つまり、深さ調整部６１１の突起の距離がゼロである。なお、半楕円の形状の代わりに、半円の形状が用いられてもよい。
【００６３】
ここで、例えば、対向基板１２２Ｂから画素基板１２１Ｂに向かう方向（または、それに近い方向）に重力がかかる配置で、表示部６０１が使用される場合、深さ調整部６１１のところでは、液溜り領域６１２の深さが浅い箇所から深い（距離が長い）箇所に向かって分散液１５１Ｂが移動する力がかかると考えられる。
液溜り領域６１２の深さが浅い箇所では、例えば、分散液１５１Ｂに白黒のムラがあっても、電気泳動粒子（本実施形態では、白色粒子、黒色粒子）による隠蔽性が低いことから反射率が低下し、これにより、光の反射が抑制され、表示領域の面内における輝度の均一性に対する影響が小さくなる。
【００６４】
このように、本実施形態では、フロントライトとして用いられる光源１０４Ｂの側における液溜り領域６１２の深さを浅くした。これにより、光源１０４Ｂの側における液溜り領域２１２による反射の影響を小さく（好ましくは、最小限に）することができる。したがって、表示領域における表示内容に発生する輝度のムラを小さくすることができ、輝度の均一性を向上させることができる。
【００６５】
ここで、光源１０４Ｂの側における液溜り領域６１２の深さを浅くする構成としては、例えば、画素基板１２１Ｂおよび対向基板１２２Ｂに平行な面において、光源１０４Ｂから発せられる光が通過する光路を考えたときに、当該光路の下方（当該平行な面に対して垂直な方向であって、対向基板１２２Ｂから画素基板１２１Ｂへ向かう方向）に液溜り領域６１２が存在する場合、当該液溜り領域６１２の深さを浅くする構成が用いられてもよい。すなわち、光源１０４Ｂから発せられる光の光路（当該平行な面における光路）の下方に液溜り領域６１２が存在する箇所で反射の影響を受けると考えられるため、このような箇所における液溜り領域６１２の深さ（分散液１５１Ｂの深さ）を低減する構成が考えられる。
このような深さに関して、例えば、表示領域の周囲に備えらえる液溜り領域６１２の形状（図８の例では、ＹＺ平面に平行な面の形状。図９の例では、ＸＺ平面に平行な面の形状。）が非対称になる。
なお、光源１０４Ｂの側における液溜り領域６１２の深さを浅くする構成としては、例えば、当該深さがゼロである箇所があってもよい。
【００６６】
［非対称な深さの液溜り領域を有する表示部の他の構成例］
図１０は、本発明の一実施形態に係る非対称な深さの液溜り領域８４２を有する表示部８０１の他の概略的な構成例を示す図である。図１０は、表示部８０１の断面側面図（図２におけるＢ−Ｂ’断面に相当する断面の側面図）である。図１０には、図２と同様に、直交座標系であるＸＹＺ座標系を示してある。
【００６７】
ここで、深さ調整部８４１の形状が異なる点と、液溜り領域８４２の形状が異なる点を除いて、図１０の例における画素基板８１１、対向基板８１２、封止部８２１、８２２、隔壁８３１、８３２は、それぞれ、図９に示される画素基板１２１Ｂ、対向基板１２２Ｂ、封止部７０１、７０２、隔壁７１１、７１２と同様である。
【００６８】
本実施形態では、図１０に示されるように、光源（図示せず）が配置される箇所の側に、液溜り領域８４２のところに、深さ調整部８４１が備えられている。深さ調整部８４１は、画素基板８１１において対向基板８１２の側に備えられており、画素基板８１１から対向基板８１２の側へ突起する形状を有している。これにより、光源が配置される箇所の側における液溜り領域８４２の一部の深さは、光源が配置されない側における液溜り領域８４２の深さよりも浅い（距離が短い）。
【００６９】
また、本実施形態では、図１０に示されるように、光源が配置される箇所およびその周囲（図１０の例では、Ｘ軸方向の周囲）において、光源が配置される箇所の中央部に対応する場所の方が、他の場所（中央部以外の場所）よりも、深さ調整部８４１の突起の距離が長い（つまり、Ｚ軸方向における高さが高い）。
本実施形態では、Ｘ軸方向について、光源は表示領域の中央に備えられている。そして、Ｘ軸方向について、深さ調整部８４１は、光源の中央部のところを突起の上辺として、台形の形状を有する。Ｘ軸方向について、台形の形状の両端のところは、それぞれ、深さ調整部８４１が存在せず、つまり、深さ調整部８４１の突起の距離がゼロである。
【００７０】
このように、本実施形態では、フロントライトとして用いられる光源の側における液溜り領域８４２の深さを浅くした。これにより、光源の側における液溜り領域８４２による反射の影響を小さく（好ましくは、最小限に）することができる。したがって、表示領域における表示内容に発生する輝度のムラを小さくすることができ、輝度の均一性を向上させることができる。
【００７１】
図１１は、本発明の一実施形態に係る非対称な深さの液溜り領域９４２を有する表示部９０１の他の概略的な構成例を示す図である。図１１は、表示部９０１の断面側面図（図２におけるＢ−Ｂ’断面に相当する断面の側面図）である。図１１には、図２と同様に、直交座標系であるＸＹＺ座標系を示してある。
【００７２】
ここで、深さ調整部９４１の形状が異なる点と、液溜り領域９４２の形状が異なる点を除いて、図１１の例における画素基板９１１、対向基板９１２、封止部９２１、９２２、隔壁９３１、９３２は、それぞれ、図９に示される画素基板１２１Ｂ、対向基板１２２Ｂ、封止部７０１、７０２、隔壁７１１、７１２と同様である。
【００７３】
本実施形態では、図１１に示されるように、光源（図示せず）が配置される箇所の側に、液溜り領域９４２のところに、深さ調整部９４１が備えられている。深さ調整部９４１は、画素基板９１１において対向基板９１２の側に備えられており、画素基板９１１から対向基板９１２の側へ突起する形状を有している。これにより、光源が配置される箇所の側における液溜り領域９４２の一部の深さは、光源が配置されない側における液溜り領域９４２の深さよりも浅い（距離が短い）。
【００７４】
また、本実施形態では、図１１に示されるように、光源が配置される箇所（図１１の例では、Ｘ軸方向の箇所）において、光源が配置される箇所の中央部およびその付近に対応する場所の方が、他の場所よりも、深さ調整部９４１の突起の距離が長い（つまり、Ｚ軸方向における高さが高い）。
本実施形態では、Ｘ軸方向について、光源は表示領域の中央に備えられている。そして、Ｘ軸方向について、深さ調整部９４１は、光源の中央部およびその付近のところを突起の上辺として、長方形の形状を有する。Ｘ軸方向について、長方形の形状の両端のところは、それぞれ、深さ調整部９４１が存在せず、つまり、深さ調整部９４１の突起の距離がゼロである。なお、長方形の形状の代わりに、正方形の形状が用いられてもよい。
【００７５】
このように、本実施形態では、フロントライトとして用いられる光源の側における液溜り領域９４２の深さを浅くした。これにより、光源の側における液溜り領域９４２による反射の影響を小さく（好ましくは、最小限に）することができる。したがって、表示領域における表示内容に発生する輝度のムラを小さくすることができ、輝度の均一性を向上させることができる。
【００７６】
［非対称な距離および非対称な深さの液溜り領域を有する表示部の構成例］
例えば、図４に示される液溜り領域１０２Ａのように非対称な距離（図４の例では、ＸＹ平面における距離）を有する構成と、図８および図９に示される液溜り領域６１２のように非対称な深さ（図８、図９の例では、Ｚ軸方向における深さ）を有する構成とのうちの任意の一方が用いられてもよく、または、両方が用いられてもよい。
例えば、非対称な距離および非対称な深さの液溜り領域を有する表示部が実施されてもよい。具体例として、このような表示部では、フロントライトとして用いられる光源の側において、液溜り領域の距離を短くするとともに、当該液溜り領域の深さを浅くした構成が用いられてもよい。なお、これに限られず、液溜り領域の距離および深さとしては、様々に組み合わせた構成が用いられてもよい。
【００７７】
例えば、所定部分の体積が非対称な液溜り領域を有する表示部が実施されてもよい。具体例として、このような表示部では、フロントライトとして用いられる光源の側において、液溜り領域の体積を小さくした構成が用いられてもよい。液溜り領域の体積を小さくする構成としては、例えば、当該体積を形成する距離を短くする構成と、当該体積を形成する深さを浅くする構成とのうちの任意の一方が用いられてもよく、または、両方が用いられてもよい。本例では、当該体積は、距離と深さとの積を、当該距離に対して垂直方向に、積分した値によって表される。
【００７８】
［第１実施形態のまとめ］
以上のように、本実施形態に係る電気泳動表示装置１では、表示部において、照明となる光源の近く（近傍）の液溜り領域について、表示領域に対して平行な面における当該液溜り領域の距離（幅）を短くする構成と、当該液溜り領域の断面の段差の深さ（厚さ）を浅くする構成とのうちの、任意の一方または両方の構成を有する。
【００７９】
例えば、電気泳動表示装置１の表示部において、表示領域の面における中心軸（当該面に対して垂直な方向の軸）に対して液溜り領域を非対称に配置した構成が用いられてもよい。
例えば、電気泳動表示装置１の表示部において、光源の側の箇所における液溜り領域を、他の箇所と比べて、狭く（距離を短く）あるいは浅く配置した構成が用いられてもよい。例えば、電気泳動表示装置１の表示部において、光源の側の箇所に液溜り領域が存在しない構成が用いられてもよい。
例えば、電気泳動表示装置１の表示部において、光源の側の箇所における液溜り領域の距離（または、面積）が、他の箇所と比べて、最も小さい構成が用いられてもよい。
例えば、電気泳動表示装置１の表示部において、光源の側の箇所における液溜り領域の深さが、他の箇所と比べて、最も浅い構成が用いられてもよい。
【００８０】
例えば、表示領域の面に対して平行な面において、光源から発せられる光が通過する液溜り領域の距離（当該面における距離）と、当該光が通過する当該液溜り領域の深さ（当該面に対して垂直な方向の深さ）とのうちの一方または両方を小さく（短く）する構成が用いられてもよい。
【００８１】
一般には、表示領域の全周に均一に同じ面積および同じ深さで液溜り領域が配置される。これに対して、本実施形態では、表示領域の面内における輝度の均一性を低下させる影響が大きい箇所について、液溜り領域の体積を小さくし、当該体積の分の分散液を別の領域に配置させた。このような構成では、液溜り領域の本来の機能を損なわずに、表示領域の面内における輝度の均一性を向上させることができる。なお、表示領域の面内における輝度の均一性を低下させる影響が大きい箇所としては、様々な箇所が用いられてもよく、一例として、フロントライトである光源から照射される光が反射する箇所が用いられてもよい。
【００８２】
以上のように、本実施形態に係る電気泳動表示装置１では、表示部において、表示内容に発生する輝度のムラを小さくすることができる。
例えば、電気泳動表示装置１の表示部において、フロントライトである光源の点灯時に、表示領域の面内における輝度のムラを低減して、表示領域の面内における輝度の均一性を向上させることができる。
例えば、電気泳動表示装置１の表示部において、液溜り領域の本来の機能を損ねずに、表示品位を良好にすることができる。
なお、本実施形態と同様な構成は、例えば、白黒表示を行う電気泳動表示装置１の表示部ばかりでなく、白黒以外のカラーの表示を行う電気泳動表示装置の表示部に適用されてもよい。
【００８３】
（第２実施形態）
図１２〜図１４を参照して、本発明の実施形態に係る電子機器の概略的な構成例を示す。本実施形態では、以上の実施形態に係る電気泳動表示装置（第１実施形態に係る電気泳動表示装置１）を適用した電子機器の具体例を示す。
【００８４】
図１２は、本発明の一実施形態（第２実施形態の第１の例）に係る電子機器の概略的な構成例を示す図である。
具体的には、図１２は、電子機器の一例である電子ブック１５０１を示す斜視図である。
電子ブック１５０１は、ブック形状のフレーム１５１１と、以上の実施形態に係る電気泳動表示装置１が適用された表示部１５１２と、操作部１５１３を備える。
【００８５】
図１３は、本発明の一実施形態（第２実施形態の第２の例）に係る電子機器の概略的な構成例を示す図である。
具体的には、図１３は、電子機器の一例である腕時計１５５１を示す斜視図である。
腕時計１５５１は、以上の実施形態に係る電気泳動表示装置１が適用された表示部１５６１を備える。
【００８６】
図１４は、本発明の一実施形態（第２実施形態の第３の例）に係る電子機器の概略的な構成例を示す図である。
具体的には、図１４は、電子機器の一例である電子ペーパー１５７１を示す斜視図である。
電子ペーパー１５７１は、紙と同様の質感および柔軟性を有するリライタブルシートで構成される本体部１５８１と、以上の実施形態に係る電気泳動表示装置１が適用された表示部１５８２を備える。
【００８７】
なお、以上の実施形態に係る電気泳動表示装置１は、他の様々な電子機器に適用されてもよく、例えば、携帯電話、携帯用オーディオ機器等の電子機器の表示部、マニュアル等の業務用シート、教科書、問題集、情報シートなどに適用されてもよい。
【００８８】
以上のように、本実施形態に係る電子機器では、以上の実施形態に係る電気泳動表示装置１と同様な効果を得ることができる。
【００８９】
（以上の実施形態のまとめ）
一構成例として、互いに対向させられた第１の基板（図３および図４の例では、画素基板１２１）および第２の基板（図３および図４の例では、対向基板１２２）と、第１の基板に設けられた第１の電極（図３および図４の例では、画素電極１６１）と、第２の基板に設けられた第２の電極（図３および図４の例では、対向電極１６２）と、第１の電極と第２の電極との間およびその周囲に設けられた粒子および分散媒を含む分散液（図３および図４の例では、分散液１５１）と、を備え、第１の電極と第２の電極との間に分散液が設けられた表示領域（図３および図４の例では、表示領域１０１Ａ）に対して、周囲に分散液が設けられた非表示領域（図３および図４の例では、液溜り領域１０２Ａ）が非対称である、電気泳動表示装置（図１の例では、電気泳動表示装置１）である。
一構成例として、電気泳動表示装置において、非表示領域は、分散液の体積に関して、非対称である（例えば、図４〜図７の例、または、図８〜図１１の例）。
一構成例として、電気泳動表示装置において、非表示領域は、第１の基板および第２の基板に対して平行な面における距離に関して、非対称である（例えば、図４〜図７の例）。
一構成例として、電気泳動表示装置において、非表示領域は、第１の基板および第２の基板に対して垂直な方向における深さに関して、非対称である（例えば、図８〜図１１の例）。
一構成例として、電気泳動表示装置において、非表示領域は、光源（図３および図４の例では、光源１０４Ａ。図８および図９の例では、光源１０４Ｂ。図５〜図７の例では、光源２１４〜２１５、３１４、４１４。）が設けられる箇所において、他の箇所と比べて、非対称であり、分散液の体積が小さい。
一構成例として、上記のような電気泳動表示装置を備える電子機器（例えば、図１２〜図１４に示される電子機器）である。
【００９０】
以上、この発明の実施形態について図面を参照して詳述してきたが、具体的な構成はこの実施形態に限られるものではなく、この発明の要旨を逸脱しない範囲の設計等も含まれる。
【符号の説明】
【００９１】
１…電気泳動表示装置、１１、１１Ａ、２０１、３０１、４０１、６０１、８０１、９０１、１５１２、１５６１、１５８２…表示部、１２…制御部、２１…画素領域、１０１、１０１Ａ、２１１、３１１、４１１…表示領域、１０２、１０２Ａ、２１２、３１２、４１２、６１２、８４２、９４２…液溜り領域、１０３、１０３Ａ、２１３、３１３、４１３…枠領域、１０４、１０４Ａ、１０４Ｂ、２１４〜２１５、３１４、４１４…光源、１２１、１２１Ｂ、８１１、９１１…画素基板、１２２、１２２Ｂ、８１２、９１２…対向基板、１２３、１２３Ｂ…透明接着層、１２４、１２４Ｂ…導光体、１３１、１３１Ｂ、７０１〜７０２、８２１〜８２２、９２１〜９２２…封止部、１４１〜１４３、１４１Ｂ〜１４３Ｂ、７１１〜７１２、８３１〜８３２、９３１〜９３２…隔壁、１５１、１５１Ｂ…分散液、１６１、１６１Ｂ…画素電極、１６２、１６２Ｂ…対向電極、４２１〜４２２…中心、６１１、８４１、９４１…深さ調整部、１５０１…電子ブック、１５１１…フレーム、１５１３…操作部、１５５１…腕時計、１５７１…電子ペーパー、１５８１…本体部、３００１〜３００２、３００１Ａ、３００２Ａ、Ｑ１…線、Ｌ１〜Ｌ４、Ｌ１１〜Ｌ１４、Ｌ２１〜Ｌ２４、Ｌ３１〜Ｌ３４、Ｌ４１〜Ｌ４４…距離、Ｐ１…光路
【図１】
2017161829.tif 000003
【図２】
2017161829.tif 000004
【図３】
2017161829.tif 000005
【図４】
2017161829.tif 000006
【図５】
2017161829.tif 000007
【図６】
2017161829.tif 000008
【図７】
2017161829.tif 000009
【図８】
2017161829.tif 000010
【図９】
2017161829.tif 000011
【図１０】
2017161829.tif 000012
【図１１】
2017161829.tif 000013
【図１２】
2017161829.tif 000014
【図１３】
2017161829.tif 000015
【図１４】
2017161829.tif 000016